Podtech/llm-jp-corpus-v4-ja_patent huggingface dataset:
(57)【要約】【課題】  速度制御機能を備えたフープ材の走行装置に於いて、その走行速度の変化が激しく速度制御が間に合わない場合が有る。【解決手段】  ばね（１）に支持された滑車付スライダー（３）により速度変化分の材料長を吸収する。【選択図】図１
2007205563.tif 000002
【特許請求の範囲】
【請求項１】
ばね（１）に支持された滑車付スライダー（３）により速度変化分の材料長を吸収する機能を持った速度制御機能を備えたフープ材の走行装置。
【発明の詳細な説明】
【技術分野】
【０００１】  本発明は、速度制御機能付のフープ材走行装置に関する。
【背景技術】
【０００２】  従来のこの種のフープ材走行装置は巻き太りや繰り出し細りに対応するため従動部が、ブレーキ機能を有するモノや速度制御機能を有するモノが有る。
【発明の開示】
【発明が解決しようとする課題】
【０００３】  主動部の速度変化が、速く大きい場合、従動部がブレーキ機能を有するモノや速度制御機能を有するモノでは対応不可である。
【課題を解決するための手段】
【０００４】  上記目的を達成するために、本発明のフープ材走行装置においてはばね（１）で支持された軽量な滑車付スライダー（３）を設置する。
【発明の効果】
【０００５】  滑車付スライダー（３）は軽量即ち慣性が小さいため、フープ材（１０）の速度が急に速くなった時は下方に移動し、速度が急に遅くなった時は上方に移動してフープ材（１０）の長さの変化分を吸収し、ダンサーローラー部への影響を小さくし、速度制御機能の範囲内に収める。
【発明を実施するための最良の形態】
【０００６】  ばね（１）は上方を固定して滑車付スライダー（３）を下方にぶら下げる形にし、滑車付スライダー（３）は重量バランスを取ってガイド把持部が水平を保って、ガイドバー（２）との摩擦抵抗を小さくしながら軽量にすることがこの発明を実施するための最良の形態である。
【実施例】
【００７】  実施例について図面を参照して説明すると、ボビン（８）はモーター（９）により回転されモーター（９）はダンサーラー部（７）の信号により速度制御される。走行速度の激変する例として、板状の巻き枠（５）がモーター（６）により回転されてフープ材（１０）を巻き取ると、その走行速度は激変し、速度が速い時は滑車付スライダー（３）が下方に移動し、速度が遅い時は上方に移動してフープ材（１０）の長さの変化分を吸収し、ダンサーローラー部への影響を小さくし、速度制御機能の範囲内に収める。
【図面の簡単な説明】
【図１】    実施例のフープ材走行装置の概念図である。
【符号の説明】
１  ばね
２  ガイドバー
３  滑車付スライダー
４  固定滑車
５  巻き枠
６  モーター
７  ダンサーローラー部
８  ボビン
９  モーター
１０  フープ材
【図１】
2007205563.tif 000003
(57)【要約】      （修正有）【課題】各種用水に設置して、豪雨や洪水時の水位変化があっても対応できる小型水力発電設備を提供する。【解決手段】流れる水の量が変化し、時には洪水等の水位変化があっても、安全に運転する水車であるには、下記のとおりの水車を作ることによって、流水条件がよければ簡便に、数多く設置することができる。１，アルミ製の小型で軽量な水車にする。２，開放周流形下掛け水車にする。    ３，水車が浮動できる浮力ある浮子等を取り付ける。４，水車は固定せず浮動するのでワイヤロ−プ２本で繋ぐ。５，水車と発電機は分けて設置しチェ−ンで連結する。【選択図】図２
2007205342.tif 000002
【特許請求の範囲】
【請求項１】
用排水路等に設置する小型水力発電用浮き水車型による発電方式。
【請求項２】
集中豪雨等で用排水路が、増水して水位が異常に上がっても、浮力のあるもの（浮子等）を取り付けることによって、水車が水位に応じて浮き上がり稼働できる。
【請求項３】
水車羽根の取り付けは、前傾にして、左右水平でなく、傾斜して取りつけることにより、水車の回転効率を高める。
【請求項４】
水車は、開放周流形として、発電機は水車とは別の高い位置に設置、チェンで回転を連結する。水車はワイヤロ−プ２本で繋ぐ。
【発明の詳細な説明】
【発明の詳細な説明】
【技術分野】  小型水力発電事業
【背景技術】  小型水力発電用の水車は、総べて固定して設置されたものである。
【発明が解決しょうとする課題】
一般的な水路に設置する水車で、流量変化に対応でき、洪水等の流量にも安全性を確保する。
【課題を解決するため手段】
流量変化に対応するためには、水車を固定しないで、浮き上がることができ、且つ、稼働できる水車の構造にするとともに、発電機は水車と分離して高い位置に設置する。
【発明を実施するための最良の形態】  浮き水車型発電装置は図面に示したとおり。
【実施例】  請求項２に述べた浮き水車は、模型を製作して実験したところ、別紙の写真の通り浮いて回転することは可能である。
【発明の効果】
固定型の水車でないから、一般水路で流水条件が良好であれば、装置一式の設置が簡便であり、数多く設置ができる。
【図１】
2007205342.tif 000003
【図２】
2007205342.tif 000004
【手続補正書】
【提出日】平成18年4月14日(2006.4.14)
【手続補正１】
【補正対象書類名】明細書
【補正対象項目名】全文
【補正方法】変更
【補正の内容】
【発明の詳細な説明】
【技術分野】
【０００１】  小型水力発電事業
【背景技術】
【０００２】  小型水力発電用の水車は、総べて固定して設置されたものである。
【発明が解決しようとする課題】
【０００３】  一般的な水路に設置する水車で、流量変化に対応でき、洪水等の流量にも安全性を確保する。
【課題を解決するための手段】
【０００４】  流量変化に対応するためには、水車を固定しないで、浮き上がることができ、且つ、稼働できる水車の構造にするとともに、発電機は水車と分離して高い位置に設置する。
【発明を実施するための最良の形態】
【０００５】  浮き水車型発電装置は図面に示したとおり。
【実施例】
【０００６】  請求項２に述べた浮き水車は、模型を製作して実験したところ、別紙の写真の通り浮いて回転することは可能である。
【発明の効果】
【０００７】  固定型の水車でないから、一般水路で流水条件が良好であれば、装置一式の設置が簡便であり、数多く設置できる。
【図面の簡単な説明】
【０００８】
【図１】  水車本体製作図は断面図である。水車の羽根は全周２４枚にする。水車の羽根の形状は前傾斜にする。
【図２】  水力発電用浮き水車の組み立て図である。
【符号の説明】
【０００９】図２の符号▲１▼水車本体▲２▼水車架台（水路の底に固定しない）▲３▼チェン（水車と増速と連結する）▲４▼増速機▲５▼発電機▲６▼架台の四隅に各１個取り付ける）▲７▼ワイヤロ−プ（水車を発電機の位置に繋ぐ）
○水車の四隅に小型の車を各１個取り付け、架台が上下に動く場合、水路の側壁とのあたりを滑らかにする。
【手続補正２】
【補正対象書類名】特許請求の範囲
【補正対象項目名】全文
【補正方法】変更
【補正の内容】
【特許請求の範囲】
【請求項１】
一般用排水路等に設置する小型水力発電機を浮き子等を取り付けた、浮力ある開放周流形の水車型による発電方式にする。
【請求項２】
発電機を水車と離れた高い位置に設置し、チェ−ンや金属製ベルト等で回転するように水車と連結すると共に、水車は常に正常に運転するうに、ワイヤ−ロ−プ等２本で発電機の位置に繋ぐ。
(57)【要約】 【課題】ヘッドベッセルレベルを検出して常にオーバーフローするように流量制御し、常に分析計へ必要な水量を供給し、安定した測定値が得られるようにする溶存酸素計ヘッドベッセルレベル制御による試料水供給装置を提供する。【解決手段】溶存酸素計ヘッドベッセル制御による試料水供給装置であって、ヘッドベッセルレベルを検出し、検出レベルに応じてヘッドベッセル８への流路の入口弁５を自動的に開閉制御する溶存酸素計ヘッドベッセル制御による試料水供給装置。【選択図】図１
2007205733.tif 000002
【特許請求の範囲】
【請求項１】
溶存酸素計ヘッドベッセル制御による試料水供給装置であって、ヘッドベッセルレベルを検出し、検出レベルに応じてヘッドベッセルへの流路の入口弁を自動的に開閉制御する溶存酸素計ヘッドベッセル制御による試料水供給装置。
【発明の詳細な説明】
【技術分野】
【０００１】
本発明は、発電所等の蒸気タービンプラントにおける試料水の溶存酸素量を測定するための溶存酸素計ヘッドベッセルレベル制御による試料水供給装置に関する。
【背景技術】
【０００２】
蒸気タービンプラントにおける試料水の溶存酸素量を測定するための試料水供給装置は、例えば、タービンの復水器からボイラーに通ずる復水路に設けた脱気器の入口及び出口に配置されている。
現状の試料水供給装置は、図２に示すように上記復水路に通ずる試料水入口１から減圧・減温装置２を介して導水管３を通じ、分析計４に通ずるよう構成され、導水管３中に設けた入口弁５と流量調節弁６の間に分岐連通管７を通してヘッドベッセル８を配置してある。図中１１はオーバーフロー管である。
【発明の開示】
【発明が解決しようとする課題】
【０００３】
この現状の試料水供給装置では、試料水入口での試料水の圧力変動により、ヘッドベッセルの水位が低下し、必要な水位を維持できず、分析計への必要な水量が供給できず、分析計での測定値に誤差が生じ、測定値が安定しないという課題があった。
本発明は、上記課題に鑑み、ヘッドベッセルレベルを検出して常にオーバーフローするように流量制御し、常に分析計へ必要な水量を供給し、安定した測定値が得られるようにする溶存酸素計ヘッドベッセルレベル制御による試料水供給装置を提供するものである。
【課題を解決するための手段】
【０００４】
そのため、本発明溶存酸素計ヘッドベッセルレベル制御による試料水供給装置は、ヘッドベッセルレベルを検出し、検出レベルに応じてヘッドベッセルへの流路の入口弁を自動的に開閉制御するものである。
【発明の効果】
【０００５】
本発明の溶存酸素計ヘッドベッセルレベル制御による試料水供給装置は、ヘッドベッセルレベルを検出し、検出レベルに応じてヘッドベッセルへの流路の入口弁を自動的に開閉制御するものであるから、ヘッドベッセルレベルが低下すると流路の入口弁を自動的に開ける方に作動し、分析計並びにヘッドベッセルへの試料水の供給量を増加し、ヘッドベッセルレベルを上昇する一方、ヘッドベッセルレベルが上昇すると流路の入口弁を自動的に閉じる方に作動し、試料水の供給量を減少してヘッドベッセルレベルを低下して、常に分析計への必要な水量を供給し、分析計の測定値を常に安定させる効果がある。
【発明を実施するための最良の形態】
【０００６】
本発明に係る溶存酸素計ヘッドベッセルレベル制御による試料水供給装置の実施例につき、図面を参照して説明する。図２に示す現状の装置と同一構成部分には同一の参照符号を付して説明する。
本発明装置においても、試料水の流れは現状の装置と変るところはなく同一である。即ち上記復水路に通ずる試料水入口１から減圧・減温装置２を介して導水管３を通じ、分析計４に通ずるよう構成され、導水管３中に設けた入口弁５と流量調節弁６の間に分岐連通管７を通してヘッドベッセル８を配置してある。図中１１はオーバーフロー管である。
【０００７】
本発明装置では、ヘッドベッセルレベルを検出し、この検出レベルに応じて入口弁５を自動的に開閉制御し、分析計に対して常に適正な水量を供給するようにしてある。  ヘッドベッセルレベルを検出する検出装置９は、例えばヘッドベッセル８内に浮遊するフロートを設け、このフロートの上下によりヘッドベッセルレベルを検出し、入口弁５を電磁弁１０とし、ヘッドベッセルレベルを電子信号に変換し、この電子信号の変化に応じて電磁弁１０を自動的に開閉するようにする。
また、ヘッドベッセルレベルを検出する検出装置９は、例えば受発光装置を設けて、この受発光装置をヘッドベッセルレベルに応じて追随してこれを電子信号に変換し、この電子信号の変化に応じて入口弁である電磁弁１０を自動的に開閉するようにする。
【図面の簡単な説明】
【０００８】
【図１】本発明の溶存酸素計ヘッドベッセルレベル制御による試料水供給装置の系統図。
【図２】現状の溶存酸素計ヘッドベッセルレベル制御による試料水供給装置の系統図。
【符号の説明】
【０００９】
１  試料水入口
２  減圧・減温装置
３  導水管
４  分析計
５  入口弁
６  流量調節弁
７  分岐連通管
８  ヘッドベッセル
９  検出装置
１０  電磁弁
１１  オーバーフロー管
【図１】
2007205733.tif 000003
【図２】
2007205733.tif 000004
(57)【要約】【課題】  本発明は、排煙用フードを下端の内折り返しにてなる水切りを拭き掃除しやすく、また頭が当っても怪我をしないように鋭角な角を除去して新規に提供するようにしたものである。【解決手段】  本発明は、排煙用フードの下端の内折り返しにてなる水切りより掃除残しとなる角部を除去するようにしたことを特徴とする排煙用フードの水切りの形状にある。【選択図】図２
2007205702.tif 000002
【特許請求の範囲】
【請求項１】
排煙用フードの下端の内折り返しにてなる水切りより掃除残しとなる角部を除去するようにしたことを特徴とする排煙用フードの水切りの形状。
【発明の詳細な説明】
【技術分野】
【０００１】
この発明は排煙用フードの下端の水切りに関するもので、詳しくは水切りを拭きとり掃除しやすく、また頭が当っても怪我をしないように改良した発明に関するものである。
【背景技術】
【０００２】
従来、排煙用フード１は図４に示すように調理場の煙の立つ上方または調理場の前壁の前面などに取付けて、上端を屋外に伸びる排煙ダクト２に接続して、調理時に舞い上がる煙を吸引して内部のＶ形，斜形などのグリスフィルター３にて油分を回収して煙のみをつながるダクトを通して屋外などに排煙し、回収した油分はグリスフィルター３の下端より取出して廃棄するようにしている。
【特許文献１】実用新案登録第３０８７８６５号
【発明の開示】
【発明が解決しようとする課題】
【０００３】
しかしながら、煙中の油分はグリスフィルター３を囲むフード１ａの内面にも付着して下端の内折りした水切り１ｂ内に溜まるので、時間をおいて水切り内をクリーニングして油分を除去する必要がある。従来の水切りはいずれの型、タイプとも図４に示すように扁平な底面１ｅの内外端に９０度の角立て部分を有しているために、この角部１ｃ'，１ｄ'部分が掃除残りして油分ａが溜まり、こびりついて汚れて非衛生になるという課題があった。また調理人の頭が水切り１ｂの鋭角な外角１ｄ'に当って怪我をするという課題があった。
【課題を解決するための手段】
【０００４】
本発明は、排煙用フードの下端の内側折り返しにてなる水切りより掃除残しとなる角部を除去することで、水切りを掃除しやすくして油分の溜まり、特に角部での油分のこびりつきを解消してきれいで衛生的にして、また調理人などの頭が当っても当たりを柔らげることで怪我に至らないようにして、かかる課題を解決したのである。
【発明の効果】
【０００５】
排煙用フード１の箱形などのフード１ａの下端の水切り１ｂより掃除残しとなる角部を除去したので、水切りの内面の全面をきれいに拭きとり掃除することができるに至って、掃除残しによる油分の汚れこびりつき、非衛生が解消するという効果を生ずる。水切りの外端に調理人などの頭が当っても角がないために当たりは柔らげられて怪我をすることがないという効果を生ずる。
【発明を実施するための最良の形態】
【０００６】
本発明は、排煙用のフードのフードの下端の内折りにてなる水切りより掃除残しのおそれが生ずる角部を除去して掃除しやすくするのである。
【実施例１】
【０００７】
図１乃至図２は箱形の排煙用フード１の実施例であって、下面を開放した四角箱形のフード１ａの各面の下端に細帯状にて内折りして形成する水切り１ｂは、内，外の角部をアールを付した円曲形状１ｃ，１ｄにて形成して角立て部がないようにする。図示してない山形フード，囲い付フードのほか、すべての形状，タイプのフードの水切りも以上のようにして内，外角をともに円曲形状１ｃ，１ｄに形成して掃除残しとなる狭い直角などの曲げ角を作らないようにするのである。
【実施例２】
【０００８】
図３のＡ，Ｂ，Ｃは水切り形状の第２実施例であって、Ａは半円形状の水切り１ｆにて形成し、Ｂは広角角皿形の水切り１ｇ、Ｃは底深形の水切り１ｈを示している。
【０００９】
実施例１，２に記載した排煙用フード１はいずれも調理場のガスコンロ上の離れた位置に集煙するように据付けて、ガス火を使用した調理時に舞い上がる煙をフード１ａにて吸引して、油分を内部のＶ形などのグリスフィルター３にて回収し、煙のみを排煙ダクト２を通して室外に排出するのである。この際油分の一部は四周のフード１ａの内面に付着して水切り１ｂ内に垂れて入ることとなる。水切り１ｂ内の油分は雑巾などにて拭きとることとなるが、本発明の水切り１ｂは扁平な底面１ｅを挟む内外の角を円曲形状１ｃ，１ｄにして直角などの狭角をなくしたので、水切り１ｂを構成する底面１ｅと内外の立ち上がり面は内外の円曲形状の角部１ｃ，１ｄを含んできれいに拭き掃除することができることとなる。
かくて、水切り１ｂ内は油分のこびりつきによる汚れ、非衛生が解消されることとなる。
【００１０】
また、水切り１ｂの外角に調理人の頭などが当っても外角は円曲形状１ｄによって当たりが柔らげられるために切り傷やコブなどの怪我は生じないことになる。
【産業上の利用可能性】
【００１１】
本発明は、以上のように樋形をした水切りより掃除残しとなる角をなくすということですべての排煙用フードに利用することができるものである。
【図面の簡単な説明】
【００１２】
【図１】排煙用フードの設置例を示す正面図
【図２】水切り（図１の丸囲み部分）の拡大図
【図３】水切りの第２実施例Ａ，Ｂ，Ｃの各形状を示す拡大図
【図４】従来例の排煙用フードと水切り部分の拡大図
【符号の説明】
【００１３】
１は排煙用フード
１ａはフード
１ｂは水切り
１ｃ，１ｄは内外の円曲形状をした角部
１ｃ'，１ｄ'は従来の掃除残しとなる角部
１ｅは底面
１ｆは半円形状の水切り
１ｇは広角角皿形の水切り
１ｈは底深形の水切り
２は排煙ダクト
３はグリスフィルター
ａはこびりつきによる堆積油
【図１】
2007205702.tif 000003
【図２】
2007205702.tif 000004
【図３】
2007205702.tif 000005
【図４】
2007205702.tif 000006
(57)【要約】【課題】エアコンの室外機に取り付け、熱風の温度を下げる冷却装置。【解決手段】エアコンの室外機の熱風を利用してファンを回し、ファンの力で水の含まれるメッシュの布を回転させ、水の蒸発する時に周りの熱を奪うことを利用して、室外機の熱風の温度を下げる冷却装置。【選択図】図１
2007205706.tif 000002
【特許請求の範囲】
【請求項１】
エアコンの室外機に取り付け、室外機の熱風を利用してファンを回し、ファンの力で水の含まれるメッシュ状の布を回転させ、水の蒸発する時に周りの熱を奪うことを利用して、室外機の熱風の温度を下げる冷却装置。
【発明の詳細な説明】
【技術分野】
【０００１】      本発明は、エアコンを使用時に屋外に設置されている室外機から出る熱風を水を利用して温度を下げる冷却装置に関するものである。
【背景技術】
【０００２】      従来、エアコンは室内を快適に涼しくすることを目的としており、室外機から出る熱風に関しては配慮されてこなかった。。
【発明の開示】
【発明が解決しようとする課題】
【０００３】      そのために、次のような問題点があった。
（イ）夏の暑い時期には室内は涼しくても、屋外は夏の暑さに加えエアコンの室外            機によって暑さをさらにを倍増させていた。
（ロ）地球温暖化にさらに拍車をかけるものだった。
本発明は以上の問題点を解決するものである。
【課題を解決するための手段】
【０００４】      エアコン室外機から出る熱風によって回転するファンを中央部に設け、その回転力によって水の含まれるメッシュ状の布フィルターを回転させる。
【発明の効果】
【０００５】      水が蒸発する時に周りの熱を奪うことを利用して、室外機の熱風の温度を数度下げることができる。この熱風冷却装置が数多く普及するなら夏の暑さを弱め、地球温暖化を抑制することができるものとなる。
【発明を実施するための最良の形態】
【０００６】    以下、本発明の実施の形態について説明する。
（イ）エアコンの室外機の前面に熱風で回転するファン（１）を設け、そのファン            （１）の前面に片側だけ熱風を遮る風防（８）を設け常時一方向に回転する            ようにする。
（ロ）ファン（１）で発生した回転力を小歯車（２）を通して、大歯車（３）に回            転力を伝え、直結している上ローラー（４）を回転させる。
（ハ）上ローラー（４）は、本体の上部に配置され本体の下部に下ローラー（５）            が配置される、その上ローラー（４）と下ローラー（５）にまたがる様に回            転する吸水フィルターベルト（６）を設ける。
（ニ）吸水フィルターベルト（６）には、約１０センチ間隔で吸水フィルター（７            ）を設けるが、熱風を受けやすいように、７０度の角度つける。
（ホ）本体の下部に貯水トレイ（９）を設置し、そこに溜まっている水に、回転す            る吸水フィルターベルト（６）、給水フィルター（７）が通ることにより、            水分が給水フィルター全体に行き渡るようにする。
本発明は以上のような構成で、以下使用法について説明する。エアコン室外機の熱風が風くるま（１）を回転させ、小歯車（２）大歯車（３）を通して上ローラー（４）また取り付けてある吸水フィルターベルト（６）や吸水フィルター（７）を回転させ、貯水トレイ（８）に溜まっている水を吸水フィルター全体に含ませることができる。図４の示すようにエアコン室外機から出る熱風Ａは水の含んだ吸水フィルターを通り抜ける時に水分を蒸発させ、水分は蒸発する時に周りの熱を奪うので熱風は冷却され温度を数度下げ冷却された風Ｂとなり排出される。
また図５が示すように熱風冷却装置を２機設けることにより効果を高めることできる。
また図６の示すようにエアコン室外機の上部に貯水タンク（１０）を載せ、近くに雨どいがあるなら給水パイプ（１３）を設け、雨水が貯水タンク（１０）に溜まるように配管する。また、近くに雨どいがない場合は、水道から配管するか、バケツなどで水を挿入する場合は給水口（１２）から挿入する。貯水タンクに溜まった水はホース（１１）を通して貯水トレイ（９）に流れ込み、常時貯水トレイに水が溜まっているようにする。
【図面の簡単な説明】
【０００７】
【図１】  本発明の側面図
【図２】  本発明の上面図
【図３】  本発明の正面図
【図４】  本発明の効果を示す側面図
【図５】  本発明の実施例を示す上面図
【図６】  本発明の実施例を示す正面図
【符号の説明】
【０００８】      １    ファン
２    小  歯車
３    大  歯車
４    上  ローラー
５    下  ローラー
６    吸水フィルターベルト
７    吸水フィルター
８    風防
９    貯水トレイ
１０  貯水タンク
１１  ホース
１２  給水口
１３  給水パイプ
【図１】
2007205706.tif 000003
【図２】
2007205706.tif 000004
【図３】
2007205706.tif 000005
【図４】
2007205706.tif 000006
【図５】
2007205706.tif 000007
【図６】
2007205706.tif 000008
(57)【要約】【課題】  ストーブによる火傷や加熱による火災を無くす。【解決手段】  薪又はチップを燃料とするストーブの六面又は五面を、レンガ又は耐火セメント又は水槽で覆うことにより火傷や加熱火災からの事故をなくす。【選択図】図１
2007205707.tif 000002
【特許請求の範囲】
【請求項１】
鉄又は鋳物からなるストーブとそのストーブの６面を取り巻くレンガ又は、セメント等又は、水槽から形成された安全ストーブ。
【請求項２】
鉄又は鋳物からなるストーブとそのストーブの上部を除く５面を取り巻くレンガ又は、セメント等又は、水槽から形成された安全ストーブ。
【発明の詳細な説明】
【技術の分野】
【０００１】  本発明は、薪、若しくは木質チップを燃料とするストーブの直射熱を遮断し、柔らかい暖かさで焼けどの心配も無い、また建物の内壁に接近した設置でも過熱による火災の心配も無い安全なストーブに関するものである。
【背景技術】
【０００２】  従来型のストーブは、直接炎がストーブの外壁に当り高温となり火傷や火災が起こっている。
【発明の開示】
【発明が解決しようとする課題】
【０００３】  本来の鋼鉄製、鋳物製ストーブでは、燃焼時接触により焼けどを追ったり、加熱による火災を起こしていたが、レンガ又は、セメント等又は、水槽で覆うことにより火傷や火災は、起こらない。
【課題を解決するための手段】
【０００４】  上記の課題を解決する為に、鋼鉄製、鋳物製燃焼部の上部、側面、下部各面をレンガ又はセメント等又は水槽で囲まれていることを特徴としている。【０００５】  上記の課題を解決する為に、鋼鉄製、鋳物製燃焼部の上部を除く、側面、下部各面をレンガ又は、セメント等又は水槽で囲まれていることを特徴としている。
【発明の効果】
【０００６】  以上説明したように本発明の安全ストーブは、近くにいても熱く無く暖かであり、壁そのものに耐熱壁を特別に設けるでなく、壁際に設置でき火災は起こらない。【０００７】  また、燃焼部本体とレンガ又は、セメント及び水槽の間に熱交換スペースを設けることにより効率良く室内を暖めることが出来る。
【発明を実施するための最良の形態】
【０００８】  以下に、図面を参照して、本発明を適用した安全ストーブの一例を説明する。【０００９】  図１Ａは本例の安全ストーブを上部視図であり、図１Ｂは正面視図であり、図１Ｃは図１Ａのａ−ａ線で切断した部分を示す部分断面図であり、図１Ｄは図１Ｂをｂ−ｂ線で切断した部分を示す部分断面図である。【０００１０】  安全ストーフは、１のストーブ燃焼室と、２の煙突と、３の薪投入口と、４の燃焼エアー調整口とで構成された従来型ストーブとそのストーブを取り囲む、６レンガ又は、セメント等や水槽から成る直射熱遮断壁に、５の熱交換部へ強制的にエアーを送る９ファンと熱交換された空気を床面に排出する８エアー噴出し口で構成されている。【０００１１】  燃焼部１に、３の投入口より投入された薪に４の燃焼エアー調整口より供給される空気によって燃焼され燃焼室の壁は、６００℃から８００℃に加熱される。【０００１２】  その燃焼部を６の直射熱遮断壁によって上部、下部、側面を覆う事により遮断壁の温度は５０℃から６０℃程度となり穏やかな温もりとなる。【０００１３】  上部９に設けたファンにより強制的に５の熱交換部に送り込まれた空気は、暖められ８のエアー出口より床面に放出される。【０００１４】  従来型薪ストーブでは、燃焼室の壁は、６００℃から８００℃に加熱され接触すれば火傷を負い、壁際に設置の場合火災の恐れがあり設置出来ないが安全ストーブにおいて実現できる。【０００１５】  図２Ａは本例の安全ストーブを上部視図であり、図２Ｂは正面視図であり、図２Ｃは図２Ａのａ−ａ線で切断した部分を示す部分断面図であり、図２Ｄは図２Ｂをｂ−ｂ線で切断した部分を示す部分断面図である。【０００１６】  安全ストーフは、１のストーブ燃焼室と、２の煙突と、３の薪投入口と、４の燃焼エアー調整口とで構成された従来型ストーブとそのストーブを取り囲む、６レンガ又は、セメント等や水槽から成る直射熱遮断壁に、５の熱交換部と、７の熱交換用のエアー取入口と、熱交換された空気を上部に排出する８エアー噴出し口で構成されている。【０００１７】  燃焼部１に、３の投入口より投入された薪に４の燃焼エアー調整口より供給される空気によって燃焼され燃焼室の壁は、６００℃から８００℃に加熱される。【０００１８】  その燃焼部を６の直射熱遮断壁によって下部、側面を覆う事により遮断壁の温度は５０℃から６０℃程度となり穏やかな温もりとなる。【０００１９】  下部７に設けた熱交換用エアー取入れ口から取入れた空気は５の熱交換部で暖められた空気は８の出口より室内に放出される。【０００２０】  従来型ストーブのようにやかんや、鍋などを過熱する為に上部のみ燃焼室の鉄板を露出させ安全のために、側壁を高くし燃焼室の鉄板を低くする。【０００２１】  従来型薪ストーブでは、燃焼室の壁は、６００℃から８００℃に加熱され接触すれば火傷を負い、壁際に設置の場合火災の恐れがあり設置出来ないが安全ストーブにおいては実現できる。
【実施例】
【０００２２】  ログハウス及び民宿ホールに設置。
【産業上の利用可能性】
【０００２３】  原油の高騰、地球温暖化の原因である化石燃料の代替燃料として薪ストーブが見直される今日、より一層の安全を保証します。
【図面の簡単な説明】
【０００２４】  本発明を適用した安全ストーブの一例を示す概略構成図である。
【符号の説明】
【０００２５】  １  燃焼室本体。
２  煙突。
３  薪又は木質チップ投入口。
４  燃焼エアー調整口。
５  熱交換部。
６  レンガ又は、耐火セメント等又は、水槽。
７  熱交換用エアー取入口。
８  熱交換エアー出口。
９  ファン。
【図１】
2007205707.tif 000003
【図２】
2007205707.tif 000004
【手続補正書】
【提出日】平成18年3月22日(2006.3.22)
【手続補正２】
【補正対象書類名】明細書
【補正対象項目名】０００２４
【補正方法】変更
【補正の内容】
【０００２４】
【図１】  図１は従来型ストーブの６面を直熱遮断壁で覆い、熱風を強制的に下部より放出する安全ストーブである。
【図２】  図２は従来型ストーブの５面を直熱遮断壁で覆い、熱風を上部より自然放出する安全ストーブである。
(57)【要約】      【課題】  釣り用糸に付けた生き餌魚を斜め下方へ沈めることを可能にする。      【解決手段】  予め、斜め下方に投入しておいた投げ用オモリ５２に接続した投げ用糸５１を、筒１１の下部前後に備えたラセン環用支柱１５に有したラセン環１４を装着し、筒１１の前の開口１２より釣り用糸９１に付けた生き餌魚９２を挿入して投入すると、筒１１の後に有した網１３により筒１１内に留め、筒１１の下部に備えたオモリ用支柱１７に有したオモリ１６により釣り用糸９１を引き出しながら滑降し、釣り用糸９１の出が停止すると底に到達し、投げ用糸５１を引いて抜き出し、投げ用糸５１を巻き取り投げ用オモリ５２と共に当該具を回収することで斜め下方へ沈めることができ、限られた釣り時間を有効に使え、イカが生き餌魚９２に食い付くと釣り用糸９１にイカ掛け用ヤエンを装着して滑降させることができ、釣果率が上がる生き餌魚沈め具。【選択図】  図２
2007075103.tif 000002
【特許請求の範囲】
【請求項１】
筒の一端は開口で前とし、他端は網を有して後とし、下部にはオモリ用支柱を備えたオモリを有し、下部前後にはラセン環用支柱を備えたラセン環を有してなる生き餌魚沈め具。
【発明の詳細な説明】
【技術分野】
【０００１】
本発明は、生き餌魚を使ってのイカ釣りにおいて、釣り用糸に付けた生き餌魚を斜め下方へ沈める方法として、予め、投入しておいた投げ用オモリに接続した投げ用糸に装着した筒内へ釣り用糸に付けた生き餌魚を挿入して投入し滑降させ、底に到達すると投げ用糸を引いて筒内から抜き出すことで斜め下方へ沈めることが容易にできる生き餌魚沈め具に関する。
【背景技術】
【０００２】
出願人が出願した特願２００４−０５０７２３号（特開２００５−２３７２６２）に係る生き餌魚沈め筒は釣り用糸に付けた生き餌魚を筒内に挿入して竿先下への沈め用であり、イカ掛け用ヤエンを使ってのイカ釣りでは、イカが釣り用糸を付けた生き餌魚に食い付いてもイカ掛け用ヤエンを釣り用糸に装着しても滑降させることができないので、斜め下方へ沈めることが要求される。
【特許文献１】特開２００５−２３７２６２
【発明の開示】
【発明が解決しようとする課題】
【０００３】
本発明は、上記従来技術の問題点を解決し、イカが釣り用糸を付けた生き餌魚に食い付くとイカ掛け用ヤエンを釣り用糸に装着し滑降させて掛けることができるように、斜め下方へ沈めることが容易にできるようにする生き餌魚沈め具を提供することを課題とする。
【課題を解決するための手段】
【０００４】
本発明の生き餌魚沈め具は、上記目的を達成するために、筒の一端は開口で前とし、他端は網を有して後とし、筒の下部にはオモリ用支柱を備えたオモリを有し、筒の下部前後にはラセン環用支柱を備えたラセン環を有してなる。予め、斜め下方へ投入しておいた投げ用オモリに接続した投げ用糸を筒の下部前後に有するラセン環に装着する。筒内に釣り用糸に付けた生き餌魚を挿入して投入する。釣り用竿に取り付けたリールから釣り用糸を引き出しながら滑降する。引かれて出ていた釣り用糸が停止すると底に到達した。投げ用糸を引いて釣り用糸に付けた生き餌魚を筒内から抜き出すようにする。
【発明の効果】
【０００５】
本発明によれば、釣り用糸に付けた生き餌魚を斜め下方へ沈めることで限られた釣り時間を有効に使え、イカが生き餌魚に食い付くと釣り用糸にイカ掛け用ヤエンを装着して滑降させることができ、釣果率を上げることができる。
【発明を実施するための最良の形態】
【０００６】
本発明は、釣り用糸に付けた生き餌魚を斜め下方へ沈める生き餌魚沈め具で、それを図面について説明すれば、図１は、本発明の生き餌魚沈め具の形態を示す斜視図で、筒１１の一端は開口１２で前とし、他端は網１３を有して後とし、筒１１の下部にはオモリ用支柱１７を備えたオモリ１６を有し、筒１１の下部前後にはラセン環用支柱１５を備えたラセン環（ラセン環とは、線体をネジ状に形成して、投げ用糸の装着脱が自由にできる開放環）１４を有してなる。図２は、図１に示す生き餌魚沈め具が滑降中の一実施例を示す概念図で、予め、斜め下方へ投入しておいた投げ用オモリ５２に接続した投げ用糸５１に筒１１の下部前後のラセン環１４を装着し、筒１１の開口１２より釣り用糸９１に付けた生き餌魚９２を挿入し投入すると、筒１１内の水流にも網１３により筒１１内に留め、釣り用竿に取り付けたリールから釣り用糸９１を引き出しながら、ラセン環１４に装着した投げ用糸５１が軸としてオモリ用支柱１７を備えたオモリ１６の働きで筒１１を上にして滑降する。
【０００７】
その後、釣り用糸９１の出が停止すると底に到達し、投げ用糸５１を引くと網１３側から開口１２に向けて筒１１内に起こる水流で抜き出し、投げ用糸５１を巻き取り投げ用オモリ５２と共に当該具を回収する。
【０００８】
こうすることで、釣り用糸９１に付けた生き餌魚９２を斜め下方へ沈めることが容易にできる生き餌魚沈め具。
【図面の簡単な説明】
【０００９】
【図１】本発明の生き餌魚沈め具の形態を示す斜視図である。
【図２】図１に示す生き餌魚沈め具が滑降中の一実施例を示す概念図である。
【符号の説明】
【００１０】
１１    筒
１２    開口
１３    網
１４    ラセン環
１５    ラセン環用支柱
１６    オモリ
１７    オモリ用支柱
５１    投げ用糸
５２    投げ用オモリ
９１    釣り用糸
９２    生き餌魚
【図１】
2007075103.tif 000003
【図２】
2007075103.tif 000004
(57)【要約】【課題】高齢者社会において、片手しか自由に使えない高齢者が増えつつある。ところが、病院や福祉施設、老人ホーム他の多くの施設ではトイレのトイレットペーパーが両手でしか使えない健常者用にしか考慮されていない。片手しか自由に使えない高齢者がトイレットペーパーホルダーの切断歯で無理な姿勢を強いることにより怪我をすることも時々起こりうる。どこの施設でも簡単に装備でき、片手しか使えない高齢者でも簡単に操作できる片手でちぎれるトイレットペーパーホルダー用補助具を提供することにある。【解決手段】本発明即ち、一対の磁石受台３，４をトイレットペーパーホルダーの下部位置に取り付けることにより上記の課題は解決される。即ち、片手しか自由に使えない高齢者にトイレにおける快適な衛生環境を提供することができる。【選択図】  図１
2007075177.tif 000002
【特許請求の範囲】
【請求項１】
一般に家庭で使われているトイレットペーパーホルダー１の下部位置に取り付けることを可能にした一対の表面に磁石または磁石に吸着する金属を付着した磁石受台３および磁石受台４から構成され、磁石力でトイレットペーパーの引き出し動作を止めることを特徴とする片手でちぎれるトイレットペーパーホルダー用補助具。
【発明の詳細な説明】
【技術分野】
【０００１】
本発明は従来のトイレットペーパーホルダーからトイレットペーパーを切り取る場合に片手しか使えない健常者以外の身障者は切り取りが非常に難しかった。その難点を解決した片手でちぎれるトイレットペーパーホルダー用補助具に関する分野の発明である。
【背景技術】
【０００２】
従来、同目的でのトイレットペーパーホルダーの発明は数多く出願されているが、ほとんどがトイレットペーパーホルダーに特殊な装置を取り付けたり、複雑な構造体にしたり、また、鋭い切断歯をつけたりしたトイレットペーパーホルダー自身の改造に関するものが一般的である。即ち、既設のトイレットペーパーホルダーを流用し、そのトイレットペーパーホルダーの近辺に補助具を付け加えると言う発明は皆無であるのが現状である。
【０００３】
この改善策として、一般に家庭で使われているトイレットペーパーホルダーの下部位置に取り付けることを可能にした一対の表面に磁石または磁石に吸着する金属を付着した磁石受台、即ち、片手でちぎれるトイレットペーパーホルダー用補助具を発案した。
【特許文献１】特開平１０−１４６２９７号公報
【特許文献２】実開平７−３６８９１号公報
【発明の開示】
【発明が解決しようとする課題】
【０００４】
本発明は、一般的なトイレットペーパーホルダーでは片手でトイレットペーパーを引き出すことができても、トイレットペーパーを切断することは非常に困難であるし、また、既に出願されたこの種の発明品は殆どが該ホルダー自身の改造でありその構造が複雑であるがため、実現したとしても高価なものとなる。それゆえ、各家庭での既存の該ホルダーの近辺に該目的を達成する補助具を提供することである。
【課題を解決するための手段】
【０００５】
上記課題を解決するための本発明の構想は、一般に家庭で使われているトイレットパーパーホルダー１の下部位置に該ホルダー１に平行に壁面に固定される一対の磁石受台３，４を取り付ける。
【０００６】
磁石受台４を磁石受台３から片手で外し、トイレッットペーパーの引き出し部２ａを引き出し後、磁石受台４を磁石受台３に吸着させ該引き出し部２ａを挟み込む。ただし、トイレットペーパーのミシン目２ｂが磁石受台３，４を通過するまでトイレットペーパー引き出し部２ａを引き出す。
【０００７】
引き出し部２ａは一対の磁石で挟まれているため、下側に引き出し部２ａを片手で引っ張ると切断歯を使わなくとも簡単に該ミシン目２ｂから切り離される。
【発明の効果】
【０００８】
本発明は以上に説明したように構成されているので、以下に記載される効
果が期待できる。
【０００９】
本発明によるトイレットペーパーホルダー用補助具を使用することにより、片手でも労を費やせずとも、また、切断歯を使わなくとも簡単にトイレットペーパーをミシン目から切り離すことができる。
【発明を実施するための最良の形態】
【００１０】
以下に添付図面を参照して、更に説明するが、本発明はこれに限定される
ものではなく、いかなる形状のトイレットペーパーホルダーにも対応可能である。
【実施例１】
【００１１】
図１はトイレットペーパーホルダー１とトイレットペーパー２、トイレットペーパー引き出し部２ａ、一対の磁石受台３，４の相対関係を示した側面図である。磁石受台４を磁石受台３から片手で外し、トイレットペーパー引き出し部２ａを引き下ろし、再度、磁石受台４を磁石受台３に吸着させる。
【実施例２】
【００１２】
図２は図１の正面図でトイレットペーパーのミシン目２ｂが示されている。
【実施例３】
【００１３】
図３は一対の磁石受台３，４の立体図をしめす。磁石受台３の表面には磁石３ａまたは磁石に吸着する金属が取り付けられている。その背面には図に示されていないが、壁に取り付けるための両面テープまたは接着剤が付着してある。磁石受台４も表面には磁石４ａが取り付けられており、その背面には取っ手４ｂが取り付けてある。
【図面の簡単な説明】
【００１４】
【図１】トイレットペーパーと該ホルダーと該補助具との相対配置の側面図
【図２】トイレットペーパーと該ホルダーと該補助具との相対配置の正面図
【図３】一対のトイレットペーパーホルダー補助具
【符号の説明】
【００１５】
１  トイレットペーパーホルダー
２  トイレットペーパー
２ａ  トレットペーパー引出し部
２ｂ  トレットペーパーミシン目
３  磁石受台
３ａ  磁石（または磁石に吸着する金属）
４  磁石受台
４ａ  磁石
４ｂ  取っ手
【図１】
2007075177.tif 000003
【図２】
2007075177.tif 000004
【図３】
2007075177.tif 000005
(57)【要約】【課題】引き出し式の網かごを備えた壁面収納庫等の家具において網かごの脱落を防止できる取付構造を提供し、もって家具の使い勝手を向上させること【解決方法】壁面収納庫１０の側板１１に断面コ字形のレール２２を水平に固定し、その前端部にレールキャップ２３を被せ、網かご２１の上面開口部２１ａの左右両縁に設けられているフランジ部２１ｂをレール２２に摺動可能に挿入する。レール２２の前端部近傍にストッパ２４を配置して側板１１に固定し、その先端のストッパプレート部分２４ｂがフランジ部２１ｂのスリット２１ｃから上に突出するように取り付ける。網かご２１をレール２２に沿って引き出したとき、ストッパプレート２４ｂがスリット２１ｃの閉じた後端部２１ｅに当接し、それ以上網かご２１を引き出すことはないようにする。【選択図】図３
2007075224.tif 000002
【特許請求の範囲】
【請求項１】
、家具の側板にレールを水平に固定し、網かごの上面開口部に設けたフランジ部をレールに摺動可能に挿入し、網かごをレールに沿って家具から出し入れ自在に取り付けた網かご取付構造であって、前記網かごとして前記フランジ部中にレールと平行に延び、少なくとも後端部を閉じたスリットを有する網かごを使用し、前記レールの前端部近傍にストッパをその先端部がスリットを通って上に突出するように配置して固定したことを特徴とする網かご取付構造。
【発明の詳細な説明】
【技術分野】
【０００１】
本発明は網かご取付構造に関し、より詳しくは壁面収納庫等の家具に出し入れ自在に組み込まれた網かごの脱落を防止できる取付構造に関する。
【背景技術】
【０００２】
特開２００４−２５４７５３号公報には、収納庫の側板にレール材を水平に固定し、網かごの上面開口部に設けたフランジ部をレール材に摺動可能に挿入し、網かごをレール材に沿って家具から出し入れ自在に組み込んだ網かご取付構造が開示されている。
【特許文献１】特開２００４−２５４７５３号
【発明の開示】
【発明が解決しようとする課題】
【０００３】
上記した収納庫における網かご取付構造は、網かごを引き出し過ぎるとレールから編みかごが脱落するため、引き出すとき脱落しないように注意しなければならず、使い勝手が悪い。
【０００４】
本発明はかかる問題点に鑑み、網かごの脱落を防止できる取付構造を提供し、もって家具の使い勝手を向上させることを目的とする。
【課題を解決するための手段】
【０００５】
請求項１に記載の発明は、家具の側板にレールを水平に固定し、網かごの上面開口部に設けたフランジ部をレールに摺動可能に挿入し、網かごをレールに沿って家具から出し入れ自在に取り付けた網かご取付構造であって、前記網かごとして前記フランジ部中にレールと平行に延び少なくとも後端部を閉じたスリットを有する網かごを使用し、前記レールの前端部近傍にストッパをその先端部がスリットを通って上に突出するように配置して固定したことを特徴とする。
【発明の効果】
【０００６】
本発明に係る網かご取付構造によれば、網かごをレールに沿って引き出したとき、ストッパがスリットの閉じた後端部に当接するので、それ以上網かごを引き出すことはできず、網かごがレールかの脱落するのを防止できる。
【発明を実施するための最良の形態】
【０００７】
壁面収納庫の側板に断面コ字形のレールを水平に固定し、その前端部にレールキャップを被せ、網かごの開口部の左右両縁に設けられているフランジ部をレールに摺動可能に挿入する。レールの前端部近傍にストッパを配置して側板に固定し、その先端のストッパプレート部分がフランジ部のスリットから上に突出するように取り付ける。網かごをレールに沿って引き出したとき、ストッパプレートがスリットの閉じた後端部に当接し、それ以上網かごを引き出すことはないようにする。
【実施例１】
【０００８】
以下に本発明の実施例を図面に基づき説明するに、図１には本発明の一実施例に係る網かご取付構造を備えた壁面収納庫が示されている。当該壁面収納庫１０は４枚の側板１１と３枚の天板１２、適宜枚数の棚板１３を備え，側板１１の上端部に天板１２が金具１４で連結され、各側板１１がＬ字形ブラケット１５で、後壁１６と床面１７に固定されている。両端の側板１１と側壁１８間にはスペーサー１９が介装されている。
【０００９】
各側板１１の前縁と後縁には多数のダボ穴２０が等間隔で縦一列に形成されている。棚板１３はダボ穴２０の前側縦列と後側縦列の同じ高さのダボ穴２０にダボを装着し、このダボで支持することにより側板１１間に架設されている。
【００１０】
壁面収納庫１０には３枚目の側板１１と４枚目の側板１１の間に網かご収納スペースが区画され、該スペースに網かご２１が上下２段に取り付けられている。図２及び図３に網かご２１の取付構造を拡大して図示する。当該取付構造は断面コ字形のアルミ製のレール２２、同じく断面コ字形のプラスチック製のレールキャップ２３及びストッパ２４を備えている。
【００１１】
レール２２はビスで収納スペースを区画する左右の側板１１のそれぞれに水平に固定される。レールキャップ２３は側板１１に固定したレール２２の前端部に被せ、ビスで側板１１に固定される。
【００１２】
図３に示すように、網かご２１はその上面開口部２１ａの左右両縁にフランジ部２１ｂを有し、このフランジ部２１ｂは前後方向に延びている。そして、フランジ部２１ｂの内側には前後両端部２１ｄ，２１ｅを閉じたスリット２１ｃが形成されている。
【００１３】
レール２２とレールキャップ２３を側板１１に固定した後、網かご２１の左右のフランジ部２１ｂをそれぞれレール２２に摺動可能に挿入し、網かご２１を後方へ押し入れて収納スペースに収める。そうしておいて、次ぎにストッパ２４をビスで側板１１に固定する。
【００１４】
ストッパ２４は図２及び図３に示すように、ベースプレート部分２４ａとベースプレート部分２４ａに連続して設けた断面Ｌ字形のストッパプレート部分２４ｂから成る。ストッパ２４はレール２２の前端部近傍に配置してベースプレート部分２４ａをビスで側板１１に固定し、ストッパプレート部分２４ｂがスリット２１ｃを通って上に突出するように取り付けられる。
【００１５】
本実施例に係る網かご取付構造は以上の通りであって、網かご２１をレール２２に沿って引き出したとき、ストッパ２４がスリット２１ｃの後端部２１ｅに当接するので、それ以上網かご２１をレール２２から引き出すことはできず、網かご２１がレール２２から脱落するのを防止できる。
【図面の簡単な説明】
【００１６】
【図１】本発明の実施例に係る網かご取付構造を備えた壁面収納庫を示す斜視図である。
【図２】同網かご取付構造を構成するレール、レールキャップ及びストッパを示す分解斜視図である。
【図３】同網かご取付構造の主要部を示す部分拡大斜視図である。
【符号の説明】
【００１７】
１０…壁面収納庫、１１…側板、１２…天板、１３…棚板、２１…網かご、２２…レール、２４…ストッパ、２１ａ…上面開口、２１ｂ…フランジ部、２１ｃ…スリット。
【図１】
2007075224.tif 000003
【図２】
2007075224.tif 000004
【図３】
2007075224.tif 000005
(57)【要約】【課題】老人や病弱な人が行うちょこちょこ歩きやすり足歩きをして転ぶ原因を研究した結果、このような歩き方をする人は、脚の脛の筋肉である前脛骨筋が弱っていることがわかった。【解決手段】足の甲を覆う甲皮部の先部に錘を取付けたことを特徴とするトレーニングスリッパ。【選択図】        図１
2007075206.tif 000002
【特許請求の範囲】
【請求項１】
足の甲を覆う甲皮部の先部に錘を取付けたことを特徴とするトレーニングスリッパ。
【請求項２】
請求項１において、錘の形状を、肉厚が先部のほうが厚みがあって後ろに向かって薄くなる形状としたことを特徴とするトレーニングスリッパ。
【請求項３】
請求項１において、甲皮部の内側面に滑り止めを設けたことを特徴とするトレーニングスリッパ。
【発明の詳細な説明】
【技術分野】
【０００１】
本発明は、老人や何らかの理由によって長期にわたって脚を使用しなかった人等の脚の筋肉のトレーニングに使用するスリッパに関する。
【背景技術】
【０００２】
従来の脚のトレーニング具としては、靴の底の中央部からつまさきにかけて突出した半内底部を設け、この半内底部の後端から踵の後部にかけて空間部を形成した健康靴がある（例えば、特許文献１参照。）。
【特許文献１】特開２０００−９３２０３号公報
【発明の開示】
【発明が解決しようとする課題】
【０００３】
このような健康靴によると、脚のふくらはぎの筋肉を強化することができる。
上記したような老人や何らかの理由によって長期にわたって脚を使用しなくて歩行がうまくできなくなった人は、転びやすい歩き方であるすり足、ちょこちょこ歩きをする。これは、転ばないようにと意識して、目線を下に向け、腕の振りが小さく、つま先から歩みを進め、歩幅も狭く、つま先を上げる量が少ない。これによって、ちょっとした凹凸や段差、歩道ブロックの境目などにつま先を引っかけやすくなり、つまずいたり転んだりすることが多く、これによって骨折をして寝たきりになってしまう例が非常に多い。
【０００４】
このようなすり足歩きの原因を研究した結果、このような歩き方をする人は、図６に示す脚の脛の筋肉である前脛骨筋が弱っていることがわかった。
そこで、上記の従来技術では、この前脛骨筋を強化することはできず、本願発明はその筋肉を日常の動作で鍛えることができるようにしたスリッパを得ることを目的とする。
【課題を解決するための手段】
【０００５】
そこで本発明は、スリッパの足の甲を入れる甲革部の先部に、錘を設けることによって日常の生活動作において前脛骨筋を鍛えることができるようにしたことを特徴とする。
【発明の効果】
【０００６】
このようなスリッパは、足の甲を入れる(履く)甲皮部の先端が重いために利用者が、そのスリッパを履いて歩行すると、つま先に力を入れてスリッパの先が歩行路面（床面）に触れないように足を運ぶことによって、歩行強化具の先が下がらないようにつま先が上を向くように力を入れることになる。これは、脛の前脛骨筋に力を入れることになり、日常の歩行動作によって、前脛骨筋が鍛えられることになる。
【発明を実施するための最良の形態】
【０００７】
以下に、図面を参照して本発明の実施例を説明する。
図１、図２は本発明の実施例を示す説明図である。
図において、１はスリッパ本体であり、従来からある一般的な形状のスリッパでよく、例えば図１に示すようなつま先部が閉じた形状、図２に示すようなつま先部があけてある形状、さらには図３に示すようなかかとがある形状等である。
【０００８】
また、その材質もどのような材質でもよく、従来からある、布製、合成皮革製、天然皮革製等である。
このようなスリッパ本体１の甲皮部２の先部に、金属の板等による錘３を取付ける。この錘３の取付け構造は、図４に示す如く、甲皮部２の先部の形状に合った形状として表材４と裏地５の間にはさんだ状態で入れておくとよい。なお、この錘はスリッパ本体の先端に取付けるほど使用に対する効果が上がるために、図５に示す如く、肉厚が先部のほうが厚みがあって後ろに向かって薄くなる形状とするとよい。
【０００９】
また、錘の材質や構成はどのようなものでもよいもので、たとえば、金属粉入りのゴムや合成樹脂で形成してもよく、さらには金属片や金属玉を平面状につないで連続させたものを用いてもよい。
また、この錘３の他の構成としては、表材４の先部の上を覆うように取付けてもよく、さらには、表材４の上面と錘３の内面とに両面テープを付ける等によって、着脱可能となるように取付けた構造としてもよい。
【００１０】
さらには、この錘３はスリッパ本体の甲皮部の形状に限るものではなく、単純に断面形状が円形、楕円形、多角形をした棒状体や板状体を湾曲させた形状で表材４の先部の上面に取付けた構造としてもよい。この構造の場合も、錘を表材４の上面に着脱可能とするようにしてもよい。
錘３の重さは任意であるが、３００〜５００ｇ程度が一般的である。
【００１１】
また、スリッパが脱げないように、図１に示す如く、甲皮部の開口付近の内側面にゴム材等によるすべり止め６を設けておくとよい。さらに、図２に示す如く、ゴムバンド７をかかとにかけるような構造であってもよい。さらには、スリッパの底が先のほうが反り上がった構造のものがあるが、そのような構造とすると脱げにくくなるばかりでなく、つまずきにくいものとなる。
【００１２】
なお、かかとを形成する場合は、一般には、図１に示すようにおもて面後部を後端に向けて傾斜を付けて高くするが、図３に示す如く、靴のように底の後ろにかかとを形成してもよい。
以上のような構成のスリッパ本体１を履いて歩行すると、利用者は、つま先に力を入れてスリッパ本体１の先が歩行路面（床面）に触れないように足を運ぶことによりスリッパ本体１の先端が下がらないようにつま先が上を向くように力を入れることになる。このように歩行することによって図６に示す脛８の前脛骨筋９に力を入れることになり、このような歩行訓練によって、前脛骨筋９が鍛えられることになる。
【００１３】
このように日常の歩行動作によって前脛骨筋９が強化されると、スリッパをはかない一般の歩行に際して、足を前に出す際に自然につま先が上がるようになり（背屈という。）、歩行路面のちょっとした凹凸や段差、歩道ブロックの境目などにつま先を引っかけなくなり、つまずくことがなくなめらかに歩行することができるようになる。
したがって、日常の生活において、このスリッパをはいて生活することによって、前脛骨筋９の筋力が衰えた人は無論のこと、衰えていなくてもこのスリッパを履いて生活することによって衰えを防止することができる。
【図面の簡単な説明】
【００１４】
【図１】スリッパ本体の説明図
【図２】スリッパ本体の説明図
【図３】スリッパ本体の説明図
【図４】実施例を示す断面説明図
【図５】錘の形状例を示す断面説明図
【図６】前脛骨筋の説明図
【符号の説明】
【００１５】
１  スリッパ本体
２  甲皮部
３  錘
４  表材
５  裏地
６  すべり止め
７  ゴムバンド
８  脛
９  前脛骨筋
【図１】
2007075206.tif 000003
【図２】
2007075206.tif 000004
【図３】
2007075206.tif 000005
【図４】
2007075206.tif 000006
【図５】
2007075206.tif 000007
【図６】
2007075206.tif 000008